(57)【特許請求の範囲】
【請求項１】
外周を覆う周壁により一定の容積を有して構成され周囲から草花が植えられる鉢本体と、この鉢本体を吊り下げる吊り部材とからなる吊り鉢において、
前記鉢本体が、上下に複数段に分割された枠体と、上方へ向けて複数段階に縮径して形成され前記各枠体を上下に積層した状態でそれぞれ支持する支柱とを備えて構成されたことを特徴とする積層型吊り鉢。
【請求項２】
請求項１に記載の積層型吊り鉢において、
前記各枠体が、その中心部に、前記複数段階に縮径された支柱にそれぞれ嵌合する内筒を備えたことを特徴とする積層型吊り鉢。
【請求項３】
請求項１又は２に記載の積層型吊り鉢において、
前記支柱が、その上端に、当該支柱にそれぞれ嵌合された前記内筒を支柱側に固定する締付けノブを備えたことを特徴とする積層型吊り鉢。
【請求項４】
請求項１ないし３のいずれか１項に記載の積層型吊り鉢において、
前記支柱が上方へ向け３段階に縮径して形成され、
前記枠体が上段枠体と中段枠体と下段枠体とに分割して形成されると共に、各枠体が前記３段階に縮径された支柱に順次支持されてほぼ球形状の鉢本体を構成し、
前記支柱が前記吊り部材に回転可能に支持されたことを特徴とする積層型吊り鉢。
【発明の詳細な説明】
【０００１】
【産業上の利用分野】
本発明は、例えば球形状に形成されその周囲から草花が植えられる積層型吊り鉢に関し、特に搬送時、保管時、店頭販売時、需要者が購入して持ち帰る時等に容積を小さくして取扱いやすいようにした、いわゆるスタッキング性に配慮した積層型吊り鉢に関する。
【０００２】
【従来の技術】
一般に、天井等から吊り下げる吊り鉢としては、実開平２−５７３５３号公報や、実開平５−９１２８８号公報に記載されたものが知られている。
【０００３】
実開平２−５７３５３号公報に開示された吊り鉢は、図１９に示すように、本体１が最上段部分２と複数の中断部分３と最下段部分４とからなり、これらを積層して一体的な吊り鉢を構成している。各上中下段部分２，３，４の間には切欠き５が形成され、この切欠き５に草花が植えられるようになっている。この吊り鉢は吊り紐１Ａによって吊り下げられる。
【０００４】
また、実開平５−９１２８８号公報に開示された吊り鉢は、図２０に示すようになっている。この吊り鉢も基本的には、前述の実開平２−５７３５３号公報記載の吊り鉢と同様で、上段枠６と２つの側面枠７と下段枠８とからなり、これらを積層して一体的な吊り鉢を構成している。各枠６〜８の間には草花を植えるための切欠き９が形成されている。
【０００５】
前記各吊り鉢は、一般的には図２１に示すようなフック１０で天井等に掛けられる。
【０００６】
【発明が解決しようとする課題】
ところが、前述の各吊り鉢では、草花を植えて使用するとき以外の状態、例えば搬送時、保管時、店頭販売時や需要者が購入して持ち帰る時等の非使用時のことは考慮されていない。即ち、スタッキング性が考慮された構成となっていない。このため、製品が嵩ばって扱いずらいという問題点がある。
【０００７】
また、吊り鉢を窓ぎわ等吊るす場合は、一方の手で吊り鉢を持ち、他方の手でフック１０を持って掛けなければならず、吊り鉢を吊るす作業が煩雑であるという問題点がある。
【０００８】
吊り鉢を吊り紐で吊るす場合は、吊り鉢を回すのが容易ではなく、周囲に植えられた草花に対して日当たりの調整が難しいという問題点がある。
【０００９】
さらに、フック１０は先端を曲げただけの構成であるため、強風等で吊り鉢が大きく揺れると、フック１０が外れて吊り鉢が落ちてしまうという問題点がある。
【００１０】
本発明は以上述べたような問題点に鑑みてなされたもので、スタッキング性に優れ、容易に掛けることができると共に日当たりの調整も容易で、かつ落下のおそれのない積層型吊り鉢を提供することを目的とする。
【００１１】
【課題を解決するための手段】
前述した課題を解決するために第１の発明に係る積層型吊り鉢は、外周を覆う周壁により一定の容積を有して構成され周囲から草花が植えられる鉢本体と、この鉢本体を吊り下げる吊り部材とからなる吊り鉢において、前記鉢本体が、上下に複数段に分割された枠体と、上方へ向けて複数段階に縮径して形成され前記各枠体を上下に積層した状態でそれぞれ支持する支柱とを備えて構成されたことを特徴とする。
第２の発明に係る積層型吊り鉢は、第１の発明に係る積層型吊り鉢において、前記各枠体が、その中心部に、前記複数段階に縮径された支柱にそれぞれ嵌合する内筒を備えたことを特徴とする。
第３の発明に係る積層型吊り鉢は、第１又は第２の発明に係る積層型吊り鉢において、前記支柱が、その上端に、当該支柱にそれぞれ嵌合された前記内筒を支柱側に固定する締付けノブを備えたことを特徴とする。
第４の発明に係る積層型吊り鉢は、第１ないし第３の発明のいずれかに係る積層型吊り鉢において、前記支柱が上方へ向け３段階に縮径して形成され、前記枠体が上段枠体と中段枠体と下段枠体とに分割して形成されると共に、各枠体が前記３段階に縮径された支柱に順次支持されてほぼ球形状の鉢本体を構成し、前記支柱が前記吊り部材に回転可能に支持されたことを特徴とする。
【００１２】
【作用】
第１の発明では、上方へ向けて複数段階に縮径して形成された支柱に、分割された各枠体が順次はめ込まれることで、各枠体を上下に積層して支持して、鉢本体を構成する。
第２の発明では、各枠体の内筒を支柱にそれぞれ嵌合する。このとき、複数段階に縮径された支柱に対して、それぞれ嵌合する内筒を順次嵌合することで、各枠体が上下に積層されて、鉢本体を構成する。
第３の発明では、支柱に内筒を嵌合した状態で、締付けノブを支柱の上端に固定することで、鉢本体を構成する。
第４の発明では、各枠体が、３段階に縮径された支柱に、下段枠体、中段枠体及び上段枠体を順次支持させてほぼ球形状の鉢本体を構成する。そして、吊り部材で支柱が回転可能に支持されることによって、ほぼ球形状の鉢本体を回転させることができる。
【００１３】
【実施例】
以下、本発明の実施例について図面を参照しながら説明する。
【００１４】
本実施例に係る積層型吊り鉢１１は、図１に示すように外周を覆う周壁により全体をほぼ球形状に形成され周囲から草花が植えられる鉢本体１２と、この鉢本体１２を天井等から回転可能に吊り下げる吊り部材としての吊り棒１３とから概略構成されている。
【００１５】
鉢本体１２は、３段に分割された各枠体（上段枠体１４、中段枠体１５及び下段枠体１６）と、これらを積層した状態で支持する支柱１７と、これらを組み立てた状態で全体を固定支持する締付けノブ１８とから構成されている。これらの各部品は全部射出成形等により、合成樹脂で成形されている。
【００１６】
上段枠体１４は、球形状の上部を構成するもので、図２から図４及び図１６に示すようになっている。全体は、球面の一部を構成する周壁２１と、この周壁２１の下端縁部に下方に向けて環状に形成された断面コ字状の嵌合部２２と、周壁２１の中心部に設けられた内筒２３とから構成されている。内筒２３は周壁２１側にリブ２４で支持されている。このリブ２４は周壁２１の上端部にのみ設けられている。
【００１７】
周壁２１の上端縁部には、６ヵ所の位置に等間隔にＵ字状の切欠き２６が設けられている。この切欠き２６には、薄くて容易に破ることができる薄膜（図示せず）が、上段枠体１４の成形の際に一体的に成形される。草花は積層型吊り鉢１１の内部に植えられた状態で、この切欠き２６から外部に出される。このとき、薄膜は草花の茎の大きさに合せて切り取る。さらに、周壁２１には各切欠き２６の間の位置に２つずつ凹状ビード２７が設けられている。この凹状ビード２７は、周壁２１を楕円形状に窪ませて形成したもので、周壁２１を補強している。
【００１８】
内筒２３の下端部には、内方へ縮径して形成した縮径フランジ２３Ａが設けられている。この縮径フランジ２３Ａは、後述する支柱１７の第１段部１７Ｄに係止して球形状の鉢本体１２の一部を構成する。内筒２３の内径は、後述する中段枠体１５の内筒３３の外径より僅かに大きく設定されている。これにより、内筒２３が中段枠体１５の内筒３３にこれを覆って嵌まり込み、縮径フランジ２３Ａが内筒３３の上端に当接することで、上段枠体１４と中段枠体１５とが互いに嵌合してずれないようになっている。
【００１９】
中段枠体１５は、前記上段枠体１４ほぼ同様の構成を有し、図５から図７及び図１６に示すようになっている。全体は、球面の一部を構成する周壁３１と、この周壁３１の下端縁部に下方に向けて環状に形成された断面コ字状の嵌合部３２と、周壁３１の中心部に設けられた内筒３３とから構成されている。内筒３３は周壁３１側にリブ３４で支持されている。このリブ３４は周壁３１の下端部にのみ設けられている。
【００２０】
周壁３１の上端縁部には、６ヵ所の位置に等間隔にＵ字状の切欠き３６が設けられている。この切欠き３６には、前記上段枠体１４と同様の薄膜が設けられる。周壁３１には各切欠き３６の間の位置に２つずつ補強用の凹状ビード３７が設けられている。
【００２１】
内筒３３の内径は、後述する支柱１７の第２段部１７Ｅに係止する大きさ、即ち中柱部１７Ｂの外径よりも僅かに大きく設定されている。これにより、内筒３３が第２段部１７Ｅに係止して、中段枠体１５が球形状の鉢本体１２の一部を構成するようになっている。内筒３３の下端部には、後述する下段枠体１６の内筒４２の外径よりも僅かに大きい内径を有する環状壁３３Ａが設けられている。この環状壁３３Ａが下段枠体１６の内筒４２に嵌合することで、中段枠体１５と下段枠体１６とが互いに嵌合してずれないようになっている。
【００２２】
下段枠体１６は、球形状の鉢本体１２の下部を構成するもので、図８、図９及び図１６に示すようになっている。全体は皿状の周壁４１によって構成され、この周壁４１の中央部に内筒４２が設けられている。周壁４１と内筒４２との間には、３ヵ所の位置に補強用リブ４３が設けられている。
【００２３】
周壁４１の上端縁部には、３ヵ所の位置に等間隔にＵ字状の切欠き４４が設けられている。この切欠き４４には、前記上段枠体１４と同様の薄膜が設けられる。各切欠き４４の間の位置に５つずつ補強用の凹状ビード４５が設けられている。
【００２４】
内筒４２の内径は、後述する支柱１７の第３段部１７Ｆに係止する大きさ、即ち下柱部１７Ｃの外径よりも僅かに大きく設定されている。さらに、内筒４２の下端部は、第３段部１７Ｆと同様に、２段の段部として形成されている。これにより、内筒４２が第３段部１７Ｆに係止して、下段枠体１６が球形状の鉢本体１２の下部を構成するようになっている。
【００２５】
以上の構成の各枠体１４，１５，１６は互いに重ね合わせて小さくなるように設定されている。具体的には、図１７に示すように、中段枠体１５の内部に上段枠体１４が収納され、この上段枠体１４の内部に下段枠体１６が収納される。即ち、最大の枠体１５に他のすべての枠体１４，１６が収納されて、全体の容積を鉢本体１２のほぼ３分の１にまで小さくできるようになっている。
【００２６】
支柱１７は、図１０から図１２に示すように、上方へ向け３段階に縮径して形成されている。上段の最も直径の小さい上柱部１７Ａは、上段枠体１４の内筒２３の縮径フランジ２３Ａが嵌合し得る径に設定されている。中柱部１７Ｂは中段枠体１５の内筒３３が嵌合し得る径に設定されている。下柱部１７Ｃは下段枠体１６の内筒４２が嵌合し得る径に設定されている。
【００２７】
各柱部１７Ａ，１７Ｂ，１７Ｃの各下端部には第１段部１７Ｄ、第２段部１７Ｅ及ぶ第３段部１７Ｆがそれぞれ形成されている。この各段部１７Ｄ，１７Ｅ，１７Ｆは、上段枠体１４、中段枠体１５及び下段枠体１６をそれぞれ支持する。
【００２８】
支柱１７の上端部には雄ねじ１７Ｇが形成され、締付けノブ１８が螺合される。さらに、支柱１７の上端面には吊り棒１３を嵌合する嵌合穴５１が設けられている。この嵌合穴５１は、吊り棒１３が回転可能に嵌合する穴部５１Ａと、この穴部５１Ａに側方から吊り棒１３を案内して嵌合させる切欠き部５１Ｂと、この切欠き部５１Ｂの下側に吊り棒１３の頭部１３Ｃを挿入するための側面開口５１Ｃとから構成されている。
【００２９】
吊り棒１３は、図１３に示すように、長尺の直線状の棒状部１３Ａと、この棒状部１３Ａの上端に設けられたフック１３Ｂと、棒状部１３Ａの下端に設けられた頭部１３Ｃとから構成されている。フック１３Ｂの先端部と基端部とには係止溝１３Ｄ，１３Ｅが設けられ、輪ゴム５３や紐等が掛け渡される。この係止溝１３Ｄ，１３Ｅは、フック１３Ｂの先端部と基端部とを窪ませて溝を作っただけの単純な構成で、他の部品を必要としない。この係止溝１３Ｄ，１３Ｅに輪ゴム５３等を掛けるだけで、強風等で吊り鉢１１が大きく揺れたときに、フック１３Ｂが外れて積層型吊り鉢１１が落下するのを確実に防止する。
【００３０】
頭部１３Ｃは棒状部１３Ａの直径よりも大きな半球状に形成され、支柱１７の嵌合穴５１にその側面開口５１Ｃから嵌合される。この頭部１３Ｃには縦割りのスリット１３Ｆが設けられ、頭部１３Ｃの径を多少調整できるようになっている。さらに、頭部１３Ｃに面する上側位置にはフランジ部１３Ｇが設けられている。このフランジ部１３Ｇは、頭部１３Ｃが支柱１７の嵌合穴５１に嵌合したときに、この嵌合穴５１を頭部１３Ｃとの間で挟持するようになっている。
【００３１】
締付けノブ１８は図１４及び図１５に示すように主に、内側面に雌ねじ５５が施された筒部１８Ａと、この筒部１８Ａの外周面に設けられたフランジ部１８Ｂと、手で持って締め付けたり緩めたりする支持板部１８Ｃとから概略構成されている。筒部１８Ａの上端部には挿通孔１８Ｄが設けられ、吊り棒１３が通される。この挿通孔１８Ｄには吊り棒１３のフランジ部１３Ｇが嵌合するように段部１８Ｅが形成され、締付けノブ１８を支柱１７に締め付けることで、吊り棒１３が支柱１７に対して回転可能に支持されるようになっている。フランジ部１８Ｂは上段枠体１４の内筒２３に嵌合してこの内筒２３の上部を支柱１７に支持する。この締付けノブ１８は、その挿通孔１８Ｄを介して吊り棒１３に通されている。
【００３２】
以上のように構成された積層型吊り鉢１１は、工場出荷時や保管時等においては、図１７及び図１８に示すように分解して小さく梱包されている。即ち、図１７に示すように、中段枠体１５内に上段枠体１４をその上下を逆さにして収納し、さらにこの上段枠体１４内に下段枠体１６を収納する。これにより、容積をほぼ３分の１にしている。
【００３３】
この重ねた各枠体１４，１５，１６や支柱１７及び吊り棒１３等の各部材は図１８に示すように、互いに重ねて容器等に梱包され、全体の容積を小さくしている。
【００３４】
草花を植えるときは以下のようにして行なう。支柱１７に下段枠体１６を上側から挿入する。下段枠体１６はその内筒４２が支柱１７の第３段部１７Ｆに当接して支持される。下段枠体１６内に土や土の代用品を入れ、この土等に草花を植え、この草花の先端を下段枠体１６の各切欠き４４から外部に出す。このとき、切欠き４４に形成された薄膜を草花の茎の径に合せて切り取る。この薄膜は薄くて弱いため、草花が成長して茎が大きくなった場合は、この茎によって薄膜が押し広げられる。
【００３５】
次いで、中段枠体１５を支柱１７に挿入して下段枠体１６の上に重ねる。これにより、下段枠体１６の周壁４１の上端縁部が中段枠体１５の嵌合部３２に嵌合すると共に、中段枠体１５の内筒３３の環状壁３３Ａが下段枠体１６の内筒４２に嵌合する。このとき、中段枠体１５の内筒３３の下端部は支柱１７の第２段部１７Ｅに当接して支持される。この結果、中段枠体１５と下段枠体１６とが支柱１７に支持された状態で互いにずれないように嵌合して、球形状の一部を構成する。この状態で、中段枠体１５内に土等を入れる。この土等に草花を植え、切欠き３６から草花の先端を出す。このとき、切欠き３６の薄膜は、前記下段枠体１６の場合と同様にして適当な大きさに切り取る。
【００３６】
さらに、上段枠体１４を支柱１７に挿入して中段枠体１５の上に重ねる。これにより、中段枠体１５の周壁３１の上端縁部が上段枠体１４の嵌合部２２に嵌合すると共に、上段枠体１４の内筒２３が中段枠体１５の内筒３３に嵌合する。このとき、上段枠体１４の内筒２３の縮径フランジ２３Ａが支柱１７の第１段部１７Ｄに当接して支持される。この結果、上段枠体１４と中段枠体１５と下段枠体１６とがそれぞれ支柱１７に支持された状態で互いにずれないように嵌合して、球形状の鉢本体１２を構成する。この状態で、上段枠体１４内に土等を入れる。この土等に草花を植え、切欠き２６から草花の先端を出す。この切欠き２６の場合も前記同様に、薄膜を適当な大きさに切り取る。
【００３７】
次いで、吊り棒１３の頭部１３Ｃを支柱１７の嵌合穴５１に嵌合し、締付けノブ１８を支柱１７の雄ねじ１７Ｇに螺合させる。これにより、吊り棒１３が支柱１７に回転可能に支持されると共に、締付けノブ１８のフランジ部１８Ｂが上段枠体１４の内筒２３に嵌合してこの上段枠体１４を支柱１７側に固定支持する。さらに、上段枠体１４は中段枠体１５を、中段枠体１５は下段枠体１６をそれぞれ固定支持している。この結果、締付けノブ１８を締め付けることで、支柱１７に吊り棒１３及び各枠体１４，１５，１６が固定支持される。
【００３８】
そして、吊り棒１３のフック１３Ｂが天井等に掛けられ、積層型吊り鉢１１が窓ぎわや軒先やベランダ等に吊り下げられる。このとき、吊り棒１３はあまり撓まない棒材であり、鉢本体１２だけを手で持っても吊り棒１３が上方に延出した状態を維持できるため、鉢本体１２だけを手で持って、フック１３Ｂを天井等に容易に掛けることができる。フック１３Ｂの係止溝１３Ｄ，１３Ｅには輪ゴム５３や紐等を掛け渡す。これにより、強風等で積層型吊り鉢１１が大きく揺れたときに、フック１３Ｂが外れて積層型吊り鉢１１が落下するのを確実に防止することができる。
【００３９】
一方、草花に水をやるときは、水差し等で上段枠体１４の上側から注ぎ込む。これにより、水は土等の中や、上段枠体１４、中段枠体１５及び下段枠体１６の内側壁を伝って下段枠体１６の底まで滲み込む。このとき、各枠体１４，１５，１６の接続部分はそれぞれ嵌合部２２，３２によって覆われているため、水はこの嵌合部２２，３２に沿ってその下側に位置する中段枠体１５又は下段枠体１６の内側壁に流れる。この結果、水が外部に漏出することがなくなる。
【００４０】
さらに、各切欠き２６，３６，４４では、薄膜を設けて開口を必要最小限に抑えているため、この切欠き２６，３６，４４からの水の漏出も防止できる。下段枠体１６の底に溜まった不要な水は水抜き栓（図示せず）から外部に抜き取る。
【００４１】
また、吊り棒１３は支柱１７に回転可能に支持されているため、鉢本体１２を自由に回転させることができる。これにより、鉢本体１２の全周に植えられた草花に十分に光が当たるように、吊り鉢１１を適宜回転させる。
【００４２】
以上のように、各枠体１４，１５，１６が互いに重ねられ、支柱１７及び吊り棒１３等と共にコンパクトに収納することができるので、容積を大幅に小さくして運搬、保管等を効率的に行なうことができ、スタッキング性が大幅に向上する。
【００４３】
また、吊り棒１３を支柱１７に回転可能に支持したので、日当たりの調節が容易になる。また、吊り棒１３は支柱１７に対して直立に起立した状態を保つので、積層型吊り鉢１１を容易に吊るすことができるようになる。
【００４４】
さらに、天井等にフック１３Ｂを掛けた後、このフック１３Ｂの先端部と基端部とに設けた各係止溝１３Ｄ，１３Ｅ間に輪ゴム５３や紐等を掛け渡すことで、強風等により吊り鉢１１が大きく揺れても、フック１３Ｂが外れることがなくなり、吊り鉢１１が落下するのを確実に防止することができるようになる。
【００４５】
なお、前記実施例において、スタッキング性のみを考慮する場合は、吊り部材として吊り紐を用いてもよい。
【００４６】
また、前記実施例においては、鉢本体１２を支持する吊り棒１３のフック１３Ｂに係止溝１３Ｄ，１３Ｅを設けた場合を例に説明したが、このフック１３Ｂの係止溝１３Ｄ，１３Ｅは、吊り鉢１１に用いる場合に限らず、ハンガーのフックや、他のものを吊るすためのフックに用いても前記同様の効果を奏することができる。
【００４７】
さらに、前記実施例では、鉢本体１２を球形状に形成した場合を例に説明したが、鉢本体１２は直方体等の他の形状にしてもよい。例えば直方体にする場合は、互いに収納できるように、多少樽型状にふくらみを持たせた形状にする。
【００４８】
【発明の効果】
以上詳細に説明したように本発明によれば、次の効果を奏することができる。
【００４９】
（１）  鉢本体が複数の枠体に分割され、各分割された枠体を互いに嵌合可能に構成したので、これらの枠体を重ね合わせてコンパクトに収納することができ、運搬や保管等を効率的に行なうことができる。即ち、スタッキング性が大幅に向上する。
【００５０】
（２）  吊り部材を棒状の部材で構成したので、直立に起立した状態を保つことができ、積層型吊り鉢を容易に吊るすことができるようになる。
【００５１】
（３）  吊り部材を鉢本体に回転可能に支持したので、鉢本体を容易に回転させることができ、日当たりの調節が容易になる。
【００５２】
（４）  フックを掛けた後、このフックの各係止溝間に輪ゴムや紐等を掛け渡すので、強風等により吊り鉢が大きく揺れても、フックが外れることがなくなり、吊り鉢が落下するのを確実に防止することができるようになる。
【図面の簡単な説明】
【図１】本発明に係る積層型吊り鉢の全体構成を示す側面断面図である。
【図２】鉢本体の上段枠体を示す斜視図である。
【図３】鉢本体の上段枠体を示す一部破断側面図である。
【図４】鉢本体の上段枠体を示す平面図である。
【図５】鉢本体の中段枠体を示す斜視図である。
【図６】鉢本体の中段枠体を示す一部破断側面図である。
【図７】鉢本体の中段枠体を示す平面図である。
【図８】鉢本体の下段枠体を示す一部破断側面図である。
【図９】鉢本体の下段枠体を示す平面図である。
【図１０】支柱を示す斜視図である。
【図１１】支柱を示す側面図である。
【図１２】支柱を示す側面断面図である。
【図１３】吊り棒を示す側面図である。
【図１４】締付けノブを示す斜視図である。
【図１５】締付けノブの側面断面図である。
【図１６】鉢本体の外周壁を示す部分側面図である。
【図１７】各枠体を互いに収納した状態を示す模式図である。
【図１８】各枠体、支柱及び吊り棒を容器に梱包した状態を示す模式図である。
【図１９】第１従来例を示す分解斜視図である。
【図２０】第２従来例を示す分解斜視図である。
【図２１】従来のフックを示す側面図である。
【符号の説明】
１１…積層型吊り鉢、１２…鉢本体、１３…吊り棒、１３Ｂ…フック、１３Ｄ，１３Ｅ…係止溝、１４…上段枠体、１５…中段枠体、１６…下段枠体、１７…支柱、１８…締付けノブ、２２，３２…嵌合部、２３，３３，４２…内筒、２６，３６，４４…切欠き、２７，３７，４５…凹状ビード。
【図１】
0003562838.tif 000002
【図２】
0003562838.tif 000003
【図３】
0003562838.tif 000004
【図４】
0003562838.tif 000005
【図５】
0003562838.tif 000006
【図６】
0003562838.tif 000007
【図７】
0003562838.tif 000008
【図８】
0003562838.tif 000009
【図９】
0003562838.tif 000010
【図１０】
0003562838.tif 000011
【図１１】
0003562838.tif 000012
【図１２】
0003562838.tif 000013
【図１３】
0003562838.tif 000014
【図１４】
0003562838.tif 000015
【図１５】
0003562838.tif 000016
【図１６】
0003562838.tif 000017
【図１７】
0003562838.tif 000018
【図１８】
0003562838.tif 000019
【図１９】
0003562838.tif 000020
【図２０】
0003562838.tif 000021
【図２１】
0003562838.tif 000022